(57)【要約】【課題】  携帯電話を用いた構内内線システムにおいて、移動機の使用者はロケーションを意識することなく電話の送受信ができる構内電話自動登録システムを提供することである。【解決手段】  複数の交換機のそれぞれに対応付けられて設けられ、該交換機がカバーするエリアに存在する前記送受信機についての情報を記憶する記憶手段と、前記送受信機が前記エリアをまたがって移動した場合、該送受信機の移動元のエリアをカバーする交換機に対応付けられた前記記憶手段に記憶された前記情報と、該送受信機の移動先のエリアをカバーする交換機に対応付けられた前記記憶手段に記憶された前記情報とに、該送受信機が現在存在するエリアに関する情報を書き込むよう制御する制御手段とを備えた。【選択図】  図１
2005252741.tif 000002
【特許請求の範囲】
【請求項１】
複数のエリアのそれぞれごとの該エリアをカバーする交換機と、前記交換機のいずれかにおいて登録された送受信機とを有する構内内線システムの構内電話自動登録システムにおいて、
前記交換機のそれぞれに対応付けられて設けられ、該交換機がカバーするエリアに存在する前記送受信機についての情報を記憶する記憶手段と、
前記送受信機が前記エリアをまたがって移動した場合、該送受信機の移動元のエリアをカバーする交換機に対応付けられた前記記憶手段に記憶された前記情報と、該送受信機の移動先のエリアをカバーする交換機に対応付けられた前記記憶手段に記憶された前記情報とに、該送受信機が現在存在するエリアに関する情報を書き込むよう制御する制御手段と
を備え、
前記交換機のそれぞれが、該交換機に対応付けられた記憶手段に記憶された前記該エリアに存在する前記送受信機についての情報に基づいて電話交換を行う
ことを特徴とする構内電話自動登録システム。
【請求項２】
前記送受信機が自身のＩＤを送信するＩＤ送信手段を有し、
前記交換機のそれぞれに対応付けられて設けられ、該交換機がカバーするエリアに存在する前記送受信機の前記ＩＤ送信手段からのＩＤを受信する位置検出器をさらに備え、
前記制御手段が、前記位置検出器によって受信する前記送受信機のＩＤに基づいて、該送受信機が現在存在するエリアを検出する
ことを特徴とする請求項１に記載の構内電話自動登録システム。
【請求項３】
前記制御手段が、前記送受信機が前記エリアをまたがって移動した場合、該送受信機に対して、該移動先のエリアで用いる、該送受信機に割り当てられた電話番号を通知する
ことを特徴とする請求項１に記載の構内電話自動登録システム。
【請求項４】
前記交換機のそれぞれに対応付けられて設けられ、該交換機がカバーするエリアに移動してきた前記送受信機に対して、該移動先のエリアで用いる、該送受信機に割り当てられた電話番号を送信する番号配信器をさらに備えた
ことを特徴とする請求項３に記載の構内電話自動登録システム。
【請求項５】
前記交換機のそれぞれに対応付けられて設けられ、該交換機がカバーするエリアに存在する前記送受信機に対して割り当て済みの電話番号を記憶する登録済み電話番号記憶手段をさらに備えた
ことを特徴とする請求項１に記載の構内電話自動登録システム。
【請求項６】
前記交換機のそれぞれに対応付けられて設けられ、該交換機がカバーするエリアに存在する前記送受信機に対して未割り当ての電話番号を記憶する登録済み電話番号記憶手段をさらに備えた
ことを特徴とする請求項１に記載の構内電話自動登録システム。
【発明の詳細な説明】
【技術分野】
【０００１】
本発明は、会社の内線携帯電話システムに関して、その携帯電話が登録してある事業所から、地理的に離れた異なる事業所に移動しても、同じ携帯端末を使用したまま自動的に電話ができるようにしたことを特徴としている。
【背景技術】
【０００２】
従来、構内PHS（パーソナルハンディフォンシステム）のような内線電話端末は、異なる場所、例えば地理的に離れた事業所に持っていっても使用することができず、使用するためには移動先の事業所に登録してある携帯端末を借りるか、現在使用している携帯端末に意識的に番号を割り当ててもらわねばならなかった。
【０００３】
たとえば着信電話番号登録方式では、移動した人が移動先で電話番号の登録操作を行うことにより、その電話番号宛てにかかってきた呼が着信転送されるようになっているため、移動先々で意識的に登録操作を行う必要がある。また、移動後の登録操作を忘れると、自分宛ての呼がいつまでも転送されてしまうことになり、交換機側も登録操作のし忘れを検出できないといった問題点があった。
【０００４】
たとえば特許文献１に記載の発明では、移動機が、自身が元々登録されている移動通信制御装置以外のエリアに移動した場合に、その移動機に対して移動後のエリアでのみ使用可能な臨時番号を付与し、自身が元々登録されている移動通信制御装置のエリアで与えられている元々の番号宛ての着信があった場合には、前記臨時番号に転送するように制御するようにしている。
【０００５】
【特許文献１】特許第２５９４１４６号公報
【発明の開示】
【発明が解決しようとする課題】
【０００６】
ところが、上述の特許文献１に記載の発明にしても、移動機のエリア移動時の登録について具体的な開示がなく、移動機の使用者が、特に意識することなく、エリア移動をしても移動機を不自由なく使えるかというと、不充分なものであった。
【０００７】
本発明は上記の点にかんがみてなされたもので、携帯電話を用いた構内内線システムにおいて、移動機の使用者はロケーションを意識することなく電話の送受信ができる構内電話自動登録システムを提供することを目的とする。
【課題を解決するための手段】
【０００８】
本発明は上記の課題を解決するために、複数のエリアのそれぞれごとの該エリアをカバーする交換機と、前記交換機のいずれかにおいて登録された送受信機とを有する構内内線システムの構内電話自動登録システムにおいて、前記交換機のそれぞれに対応付けられて設けられ、該交換機がカバーするエリアに存在する前記送受信機についての情報を記憶する記憶手段と、前記送受信機が前記エリアをまたがって移動した場合、該送受信機の移動元のエリアをカバーする交換機に対応付けられた前記記憶手段に記憶された前記情報と、該送受信機の移動先のエリアをカバーする交換機に対応付けられた前記記憶手段に記憶された前記情報とに、該送受信機が現在存在するエリアに関する情報を書き込むよう制御する制御手段とを備え、前記交換機のそれぞれが、該交換機に対応付けられた記憶手段に記憶された前記該エリアに存在する前記送受信機についての情報に基づいて電話交換を行うことを特徴とする。
【０００９】
また本発明は請求項１に記載の発明において、前記送受信機が自身のＩＤを送信するＩＤ送信手段を有し、前記交換機のそれぞれに対応付けられて設けられ、該交換機がカバーするエリアに存在する前記送受信機の前記ＩＤ送信手段からのＩＤを受信する位置検出器をさらに備え、前記制御手段が、前記位置検出器によって受信する前記送受信機のＩＤに基づいて、該送受信機が現在存在するエリアを検出することを特徴とする。
【００１０】
また本発明は請求項１に記載の発明において、前記制御手段が、前記送受信機が前記エリアをまたがって移動した場合、該送受信機に対して、該移動先のエリアで用いる、該送受信機に割り当てられた電話番号を通知することを特徴とする。
【００１１】
また本発明は請求項３に記載の発明において、前記交換機のそれぞれに対応付けられて設けられ、該交換機がカバーするエリアに移動してきた前記送受信機に対して、該移動先のエリアで用いる、該送受信機に割り当てられた電話番号を送信する番号配信器をさらに備えたことを特徴とする。
【００１２】
また本発明は請求項１に記載の発明において、前記交換機のそれぞれに対応付けられて設けられ、該交換機がカバーするエリアに存在する前記送受信機に対して割り当て済みの電話番号を記憶する登録済み電話番号記憶手段をさらに備えたことを特徴とする。
【００１３】
また本発明は請求項１に記載の発明において、前記交換機のそれぞれに対応付けられて設けられ、該交換機がカバーするエリアに存在する前記送受信機に対して未割り当ての電話番号を記憶する登録済み電話番号記憶手段をさらに備えたことを特徴とする。
【００１４】
また詳しくは、本発明は、図１において、元々エリアＡに属する送受信機２０Ａの使用者がエリアＢに移動した場合、携帯している送受信機２０Ａに付加されている送受信機２０Ａを識別する無線ID２１Ａを、エリアＢの交換機１０Ｂは位置検出機１３Ｂを介して検出し、送受信機２０Ａが自エリアに元々所在しない端末であることを認識した場合、自エリアの空き電話番号を空き番号DB１３Ｂから検索し、番号配信機１４Ｂを介して送受信機２０Ａにその空き番号を付加する。
【００１５】
その後、交換機１０Ｂはこの送受信機２０Ａが元々存在する交換機１０Ａに対してエリア登録および転送要求を送信することによって、送受信機２０Ａ宛ての電話を交換機１０Ａから交換機１０Ｂに転送する。また、エリアＢに移動した送受信機２０Ａの使用者も交換機１０Ｂを介して発信することができる。
【発明の効果】
【００１６】
本発明によれば、携帯電話を用いた構内内線システムにおいて、移動機の使用者はロケーションを意識することなく電話の送受信ができる構内電話自動登録システムを提供することができる。
【００１７】
すなわち本発明によれば、自動的に送受信機のロケーションを識別して、送受信機にエリアに応じた電話番号を付加しているので、送受信機の使用者はロケーションを意識することなく送受信機を使用できる。
【００１８】
また本発明によれば、どのエリアでも自分の携帯している送受信機を使用できるので、エリアごとに余分な送受信機を用意する必要がなくなる。
【発明を実施するための最良の形態】
【００１９】
以下、図面を参照して本発明の一実施の形態について説明する。
【００２０】
図１は、本発明による構内電話自動登録システムの一実施形態の概略構成を示すブロック図である。
【００２１】
図１において、交換機１０Ａ、１０Ｂおよび１０ＣのそれぞれはID DB１１Ａ、１１Ｂおよび１１Ｃのそれぞれを用いて、送受信機２０Ａ、２０Ｂおよび２０Ｃやそのほかの電話機についての電話交換を行う構内電話交換機である。
【００２２】
これら交換機１０Ａ〜１０Ｃのそれぞれは会社内の事業所各拠点に設置され、たとえば専用線網１によって相互接続され、会社内の内線ネットワークを構成している。
【００２３】
ID DB１１Ａ〜１１Ｃは、交換を行う対象の送受信機２０Ａ、２０Ｂおよび２０Ｃのそれぞれの使用者の無線ID２１Ａ、２１Ｂおよび１１Ｃや、この送受信機２０Ａ〜２０Ｃが元々存在するエリアの電話番号および現在存在するエリアの電話番号を記憶している。ここで、現在送受信機の存在するエリアが元々存在するエリアでなければ、現在存在するエリアで使用できる電話番号の有効時間を示すタイマーも持っている。
【００２４】
ここでは、この送受信機２０Ａ〜２０Ｃのそれぞれが元々存在するエリアとして登録されているエリアをホームエリアと呼ぶ。
【００２５】
空き番号DB１２Ａ、１２Ｂおよび１２Ｃのそれぞれは、移動してきた送受信機に付加することができるエリア毎の仮の電話番号すなわち空き電話番号を記憶してあるデータベースである。
【００２６】
位置検出機１３Ａ、１３Ｂおよび１３Ｃのそれぞれは、送受信機２０Ａ〜２０Ｃの所在を検出する装置であり、具体的には送受信機２０Ａ〜２０Ｃに問い合わせを送信する機能と、その応答を受信する機能とを持つ。位置検出機１３Ａ〜１３Ｃのそれぞれは、それぞれの各エリアを全てカバーするように配置されている。
【００２７】
番号配信機１４Ａ、１４Ｂおよび１４Ｃのそれぞれは、送受信機２０Ａ〜２０Ｃの移動先のエリア内でだけ有効な一時的な電話番号を、送受信機２０Ａ〜２０Ｃのそれぞれを識別するIDとともに、送受信機２０Ａ〜２０Ｃのそれぞれに対して送信する装置である。
【００２８】
送受信機２０Ａ〜２０Ｃのそれぞれは、従来の送受信機の機能に無線ID ２１Ａ、２１Ｂおよび２１のそれぞれを付加した装置である。
【００２９】
この無線ID２１Ａ〜２１Ｃのそれぞれは、外部からのエリア信号に対して、自分の所持するIDを外部に無線で発信する機能を持ち、RFIDなどで構成することができる。
【００３０】
以上詳細に本発明の実施の形態の構成を述べたが、図１の構内交換機１０Ａ〜１０Ｃは、当業者にとってよく知られており、また本発明とは直接関係しないので、その内部構成の詳細な説明は省略する。
【００３１】
次に、図面を参照して本実施の形態の構内電話自動登録システムの動作について説明する。
【００３２】
まず、送受信機すなわち移動機がエリアをまたがって移動した場合の動作について説明する。
【００３３】
図２は、図１に示した送受信機のいずれかの使用者がホームエリアから他のエリアへと移動した場合の処理のフローチャートを示す図である。
【００３４】
ここでは、エリアＡをホームエリアとする送受信機２０Ａの使用者が、エリアＢへ移動したときの自動登録を想定する。ここで、ホームエリアとは送受信機２０が元々登録してある電話番号をもつエリアを意味する。
【００３５】
送受信機２０Ａの使用者がエリアＢに移動した際に、送受信機２０Ａの無線ID２１Ａは、エリアＢの入り口に設置してある位置検出機１３Ｂからたとえば無線ＬＡＮで送信されるエリア信号を受信する（図２のステップ（Ｓ１０１））。
【００３６】
位置検出機１３Ｂから信号を受信した送受信機２０Ａは無線ID２１Ａを介して無条件に自分のIDを無線ＬＡＮで発信する（Ｓ１０２）。位置検出機１３Ｂは無線ID ２１Ａから受信した信号を交換機１０Ｂに転送する。
【００３７】
交換機１０Ｂは送受信機２０Ａから送られてきたIDを鍵としてID DB１１Ｂを検索し（Ｓ１０３）、送受信機２０ＡのホームエリアがエリアＢでないことを認識したら、空き番号DB１２ＢからエリアＢの空き番号を検索し、その番号を番号配信機１４Ｂを介して送受信機２０Ａに送信する（Ｓ１０４）。具体的には、送受信機２０Ａは全送受信機２０共通のアドレスを持っており、そのアドレス宛てに番号配信機１４Ｂは送受信機２０ＡのIDと割り当てる電話番号を送信する。
【００３８】
送受信機２０Ａは、番号配信機１４Ｂから空き番号配信信号を受信すると、その信号に付加されている受信機IDが自分のものと一致したら、その信号に付加されている電話番号を自分の一時的な仮の電話番号として登録し（Ｓ１０５）、これらの処理が終わると、一連の処理が正常に終了した旨の信号を交換機１０Ｂに返す。交換機１０Ｂはこの信号を受信すると、ID DB１１Ｂにこの電話番号を登録し、かつ交換機１０Ａに送受信機２０ＡがエリアＢに存在することを連絡し、送受信機２０Ａの着信転送要求を送信する。
【００３９】
交換機１０Ａは交換機１０Ｂからの着信転送要求を受信すると、ID DB１１Ａの中の送受信機２０Ａについての情報を変更し、その転送先が交換機１０Ｂである旨の情報を記憶させておく。
【００４０】
ここで、送受信機２０Ａの現在の所在をエリアＢであるというようにID DB１１Ａの中の情報を更新しようとしたときに、変更前のID DB１１Ａに登録されている送受信機２０Ａの所在がエリアＣなどのホームエリアと異なるエリアを示していたら、交換機１０Ａは移動前の交換機（ここでは交換機１０Ｃ）に対して、転送中止要求信号を送信する。
【００４１】
ID DB１１Ｂに登録された送受信機２０Ａの情報にはタイマーがセットされており、このタイマーは位置検出機１３Ｂからの定期的に送信されるエリア信号の応答を受けるとタイマーはリフレッシュされる。また、タイマーが一定時間を経過すると、送受信機２０Ａに割り当てられている一時的な電話番号は解放され、交換機１０Ｂは交換機１０Ａに転送中止要求信号を送信する。
【００４２】
次に、送受信機すなわち移動機が着信する場合の動作について説明する。
【００４３】
図３は、図１に示した送受信機のいずれかが着信する場合の処理のフローチャートを示す図である。
【００４４】
交換機１０Ａは、外部から送受信機２０Ａ宛ての着信を受けたら、ID DB１１Ａを検索して該当する送受信機２０ＡがエリアＢにいることを認識すると、送受信機２０Ａが現在使用している電話番号（ここではエリアＢでの一時的な電話番号）を取得し（図３のステップ（Ｓ２０１））、この番号を用いて交換機１０Ｂへ転送を行う。交換機１０Ｂは転送されてきた番号が自エリア宛てであることを確認すると、送受信機２０Ａ宛てに転送する（Ｓ２０２）。
【００４５】
次に、送受信機すなわち移動機がホームエリア以外からホームエリアに戻ってきた場合の動作について説明する。
【００４６】
図４は、図１に示した送受信機のいずれかの使用者がホームエリア以外からホームエリアに戻ってきた場合の処理のフローチャートを示す図である。
【００４７】
ここでは、エリアＡをホームエリアとする送受信機２０Ａの使用者が、エリアＢからホームエリアであるエリアＡへ移動したときの動作について説明する。
【００４８】
エリアＢからエリアＡに戻ってきた送受信機２０Ａの無線ID２１Ａは、エリアＡの入り口に設置してある位置検出機１３Ａから無線ＬＡＮで送信されるエリア信号を受信する（図４のステップ（Ｓ３０１））。
【００４９】
位置検出機１３Ａから信号を受信した送受信機２０Ａは無線ID２１Ａを介して無条件に自分のIDを無線ＬＡＮで発信する（Ｓ３０２）。位置検出機１３Ａは無線ID２１Ａから受信した信号を交換機１０Ａに転送する。
【００５０】
交換機１０ＡはID DB１１Ａを検索し（Ｓ３０３）、送受信機２０ＡがエリアＢからホームエリアであるエリアＡへ戻ってきたことを認識したら、番号配信機１４Ａを介してID DB１１Ａに記憶されている送受信端末２０Ａの元々の電話番号をIDとともに送受信端末２０Ａに送信する。（Ｓ３０４）
送受信端末２０Ａは、番号配信機１４Aから自分のIDと元々の電話番号を受信したら、ホームエリアに戻ってきたことを認識して、今まで持っていたエリアＢでの一時的な番号を解放し（Ｓ３０５）、その旨を交換機１０Ａに送信する。交換機１０Ａは送受信機１０ＡがエリアＢの番号を解放したのを確認すると、交換機１０Ｂに対して、着信転送中止信号を送信する。
【００５１】
この信号を受信した交換機１０ＢはID DB１１Ｂに記憶している送受信機２０Ａの情報を破棄し、与えていた電話番号を更新して、その番号を空きID DB１２Ｂに追加する。
【００５２】
また本発明においては、ホームエリアでないエリアからの発信時にも、一時的に与えられた電話番号を鍵としてID DB１１Ａ〜１１Ｃを検索して、自分の元々の電話番号を取得することで、一時的な電話番号ではなく、元々の電話番号を発信電話番号として発信することも可能である。
【００５３】
また、位置検出機１３Ａ〜１３Ｃから送信される信号にエリアIDを付加することにより、送受信機２０Ａ〜２０Ｃが位置検出機１３Ａ〜１３Ｃから信号を受信した場合、送受信機２０Ａ〜２０Ｃは受信したエリアIDを前回位置検出機１３Ａ〜１３Ｃから受信したエリアIDと比較し、異なる場合のみ自分のIDを発信することで、構内交換機１０Ａ〜１０Ｃおよび位置検出機１３Ａ〜１３Ｃにおける処理を削減することも可能である。もしくは、位置検出機１３Ａ〜１３Ｃをエリアの出入り口に設置して、送受信端末２０Ａ〜２０Ｃのエリアへの出入りを契機にして、一時的な電話番号の割り当て/解放を行うことで、ID DB１１Ａ〜１１Ｃのタイマー処理や位置検出機が全てのエリアをカバーするような必要性をなくすことも可能である。
【図面の簡単な説明】
【００５４】
【図１】本発明による構内電話自動登録システムの一実施形態の概略構成を示すブロック図である。
【図２】図１に示した送受信機のいずれかの使用者がホームエリアから他のエリアへと移動した場合の処理のフローチャートを示す図である。
【図３】図１に示した送受信機のいずれかが着信する場合の処理のフローチャートを示す図である。
【図４】図１に示した送受信機のいずれかの使用者がホームエリア以外からホームエリアに戻ってきた場合の処理のフローチャートを示す図である。
【符号の説明】
【００５５】
１  専用線網
１０Ａ〜１０Ｃ  交換機
１１Ａ〜１１Ｃ  ID DB
１２Ａ〜１２Ｃ  空きID DB
１３Ａ〜１３Ｃ  位置検出器
１４Ａ〜１４Ｃ  番号配信器
２０Ａ〜２０Ｃ  送受信機
２１Ａ〜２１Ｃ  無線ID
【図１】
2005252741.tif 000003
【図２】
2005252741.tif 000004
【図３】
2005252741.tif 000005
【図４】
2005252741.tif 000006